(57)【要約】      （修正有）【課題】包み紙を携帯していることを確実に把握することができる包装容器を提供する。【解決手段】下面板、左右の側面板、上面板４、背面板および正面板を備え、正面板を開放して内部に収容されたガムを取り出すようにした包装容器１において、上面板４との間に一定の空間をおいて中仕切板７が配設される。また、係止板１０および正面板を回動操作して上面板４の正面板側端部を切り裂き目に沿って、左右の側面板の糊代側端部を傾斜切り裂き目に沿ってそれぞれ切り離した際に、上面板４と中仕切板７との間に収容された包み紙１００の上端部が切り裂き目に沿って切り離された正面板側端部によって形成される取出切欠部４ｘから露出される。これにより、上面板４と中仕切板７との間に形成された空間に収容された包み紙１００を取出切欠部４ｘを露出させることができ、包み紙１００の存在を把握することができる。【選択図】図２
2008254795.tif 000002
【特許請求の範囲】
【請求項１】
下面板、左右の側面板、上面板、背面板および正面板を備え、正面板によって開閉自在な正面板側開口部を通して内部に収容されたガムを取り出すようにした包装容器において、下面板の側端縁に折り目を介して第１糊代、中仕切板および第２糊代が順に連設される一方、正面板の端縁に折り目を介して係止板が連設され、また、左右の側面板の正面板側端縁に折り目を介して糊代が連設され、さらに、上面板の正面板側端部に係止板の長さに対応して正面板側端と平行に切り裂き目が形成されるとともに、該切り裂き目の各終端に連続して左右の側面板に該左右の側面板と各糊代との折り目の外端に向かう傾斜切り裂き目がそれぞれ形成され、また、中仕切板にその左右各側端縁を始点として、上面板の切り裂き目の延長線を上下から挟む一対の横切れ目と、側面板と第１糊代の幅の差に相当する幅の縦切れ目からなる略コ字状の切れ目が左右対称に形成されてなり、第１糊代および第２糊代が左右の側面板にそれぞれ貼着されて上面板との間に一定の空間をおいて中仕切板が配設され、また、各糊代が正面板に貼着されるとともに、上面板の側端縁部がコ字状の切れ目に沿って立ち上げられた支持片に支持されて上面板の正面板側端部が係止板に貼着され、一方、係止板および正面板を回動操作して上面板の正面板側端部を切り裂き目に沿って、左右の側面板の糊代側端部を傾斜切り裂き目に沿ってそれぞれ切り離した際に、上面板と中仕切板との間に収容された包み紙の上端部が切り裂き目に沿って切り離された正面板側端部によって形成される取出切欠部から露出されることを特徴とする包装容器。
【請求項２】
前記上面板の正面板側端縁部に台形状の切欠部が形成されるとともに、中仕切板の正面板側端縁に、上面板に形成された切欠部の端縁と係脱自在な被係止片が折り目を介して連設され、正面板によって正面板側開口部を閉鎖するとき、切欠部の端縁が被係止片と係止されて正面板の開き出しが規制されることを特徴とする請求項１記載の包装容器。
【発明の詳細な説明】
【技術分野】
【０００１】
本発明は、包装容器に関するものである。
【背景技術】
【０００２】
従来より、下面板、左右の側面板、上面板、背面板および正面板を備え、内部にタブレット状のガムを収容してなる包装容器が知られている。このような包装容器においては、必要に応じて正面板を開放操作し、内部に収容されたガムを正面板側開口部を通して取り出すようにしている。
【０００３】
ところで、包装容器にガムを収容する際、ガムを個別に包装することなく収容する場合がある。このため、ガムの噛みかすを廃棄する場合、ガムの包装紙が存在しないため、手持ちのティッシュペーパーを取り出して包み込む必要があり、取り扱いが煩雑になるという欠点があった。この場合、ガムの噛みかすが路上にポイ捨てされると、周囲の美観を損ねて見苦しいばかりでなく、路面に付着したガムの噛みかすを除去するため、多くの時間と費用を必要とするものとなる。
【０００４】
このような状況に対して、出願人は、包装容器にガムの包み紙を収容するための空間を形成し、その空間に包み紙を予め収容しておき、ガムの噛みかすを廃棄する際に、包装容器に収容された包み紙を取り出し、ガムの噛みかすを包み紙にて包み込んで廃棄することを提案している（例えば、特許文献１参照）。
【特許文献１】特開２００６−２１８２１号公報
【発明の開示】
【発明が解決しようとする課題】
【０００５】
前述した包装容器においては、ガムの包み紙は、下面板と、該下面板に近接して配設された内面板とによって形成された空間に収容されている。したがって、購入したガムを取り出すため、正面板を開放操作した場合、収容されたガムが包み紙の上に積み重なって覆っており、予め包み紙が収容されている事実を把握することができないものであった。このため、包み紙が収容されていることを把握することができないことから、ガムの噛みかすをティッシュペーパーに包み込んで廃棄するという煩わしい作業が必要になっていた。また、ガムの噛みかすが路上にポイ捨てされることも発生していた。
【０００６】
本発明は、このような問題点に鑑みてなされたもので、包装容器にガムの包み紙を携帯していることを確実に把握することのできる包装容器を提供するものである。
【課題を解決するための手段】
【０００７】
本発明は、下面板、左右の側面板、上面板、背面板および正面板を備え、正面板によって開閉自在な正面板側開口部を通して内部に収容されたガムを取り出すようにした包装容器において、下面板の側端縁に折り目を介して第１糊代、中仕切板および第２糊代が順に連設される一方、正面板の端縁に折り目を介して係止板が連設され、また、左右の側面板の正面板側端縁に折り目を介して糊代が連設され、さらに、上面板の正面板側端部に係止板の長さに対応して正面板側端と平行に切り裂き目が形成されるとともに、該切り裂き目の各終端に連続して左右の側面板に該左右の側面板と各糊代との折り目の外端に向かう傾斜切り裂き目がそれぞれ形成され、また、中仕切板にその左右各側端縁を始点として、上面板の切り裂き目の延長線を上下から挟む一対の横切れ目と、側面板と第１糊代の幅の差に相当する幅の縦切れ目からなる略コ字状の切れ目が左右対称に形成されてなり、第１糊代および第２糊代が左右の側面板にそれぞれ貼着されて上面板との間に一定の空間をおいて中仕切板が配設され、また、各糊代が正面板に貼着されるとともに、上面板の側端縁部がコ字状の切れ目に沿って立ち上げられた支持片に支持されて上面板の正面板側端部が係止板に貼着され、一方、係止板および正面板を回動操作して上面板の正面板側端部を切り裂き目に沿って、左右の側面板の糊代側端部を傾斜切り裂き目に沿ってそれぞれ切り離した際に、上面板と中仕切板との間に収容された包み紙の上端部が切り裂き目に沿って切り離された正面板側端部によって形成される取出切欠部から露出されることを特徴とするものである。
【０００８】
本発明によれば、コートボールを展開図にしたがって打ち抜いた後、折り目に沿って折り込むこととともに、所定部分を貼着して包装容器が組み立てられる。この際、第１糊代および第２糊代がそれぞれ左側面板および右側面板に貼着されると、第１糊代および第２糊代の高さが左右の側面板の高さよりも小さく設定されているため、中仕切板が上面板との間に左右の側面板の高さと第１糊代、第２糊代の高さとの差に相当する間隔をおいて配設され、上面板と中仕切板との空間にガムの包み紙を収容することができる。また、上面板の正面板側端部は、中仕切板を介して包み紙に支持されるとともに、その切り裂き目の各端縁部は、コ字状の切れ目に対応する部分が立ち上げられて形成された支持片に支持されることから、上面板の正面板側端部に係止板を確実に貼着することができる。そして、最初にガムを取り出すとき、係止板および正面板を回動操作すれば、上面板の正面板側端部が係止板に貼着され、かつ、糊代が正面板に貼着されているため、正面板の正面板側端部が切り裂き目に沿って、左右の側面板の各糊代側端部が傾斜切り裂き目に沿ってそれぞれ切り離される。これにより、上面板と中仕切板との間に収容された包み紙の上端部が切り裂き目に沿って切り離された正面板側端部によって形成される取出切欠部から露出される。
【０００９】
この結果、上面板に切り裂き目に沿って形成された取出切欠部を通して上端部が露出した状態で上面板と中仕切板との空間にガムの包み紙を収容して携帯することができることから、包装容器に包み紙を携帯していることを確実に把握することができる。しかも、包み紙を取出切欠部を通して簡単に取り出すことができ、ティッシュペーパーなどを取り出す煩わしさを解消してガムの噛みかすを包み紙によって包み込んで廃棄することができる。したがって、ガムの噛みかすの廃棄時に包み紙の存在を意識することができ、ガムの噛みかすが路上にポイ捨てされることを防止することができる。
【００１０】
本発明において、前記上面板の正面板側端縁部に台形状の切欠部が形成されるとともに、中仕切板の正面板側端縁に、上面板に形成された切欠部の端縁と係脱自在な被係止片が折り目を介して連設され、正面板によって正面板側開口部を閉鎖するとき、切欠部の端縁が被係止片と係止されて正面板の開き出しが規制されることが好ましい。
【００１１】
これにより、切り裂き目に沿って切り離されて係止板に貼着された上面板の正面板側端部の切欠部の端縁が被係止片と係止されるときには、係止板に連設された正面板の意図しない開き出しが規制されるため、ガムの脱落を防止できるとともに、取出切欠部を通して露出している包み紙の上端部を係止板によって汚れないように覆うことができる。
【発明の効果】
【００１２】
本発明によれば、包装容器にガムの包み紙を携帯していることを確実に把握することができ、収容された包み紙によってガムの噛みかすを包み込んで廃棄することが可能となる。
【発明を実施するための最良の形態】
【００１３】
以下、本発明の実施の形態を図面に基づいて説明する。
【００１４】
図１乃至図３には、本発明の包装容器１の一実施形態が示されている。
【００１５】
この包装容器１は、タブレット状のガムを収容するものであり、コートボールを図４に示す展開図にしたがって打ち抜いた後、折り目に沿って折り込むこととともに、所定部分を貼着して組み立てられる。そして、包装容器１にガムを収容して適宜包装した後、出荷される。
【００１６】
この包装容器１は、図４の展開図において、下面板２の左端縁に、左側面板３、上面板４および右側面板５が折り目ａ，ｂ，ｃを介して順に連設されるとともに、下面板２の右端縁に、第１糊代６、中仕切板７および第２糊代８が折り目ｄ，ｅ，ｆを介して順に連設される一方、下面板２の上端縁に正面板９および係止板１０が折り目ｇ，ｈを介して順に連設されるとともに、下面板２の下端縁に糊代１１が折り目ｉを介して連設され、また、左側面板３および右側面板５の各上端縁にそれぞれ糊代１２が折り目ｊを介して連設されるとともに、左側面板３および右側面板５の各下端縁にそれぞれフラップ１３が折り目ｋを介して連設され、さらに、中仕切板７の上端縁に被係止片１４が折り目ｍを介して連設される一方、上面板４の下端縁に背面板１５が折り目ｎを介して連設されて構成されている。
【００１７】
そして、上面板４の上端縁部には、前述した被係止片１４に対応して台形状の切欠部４ａが形成されている。すなわち、台形状の切欠部４ａの深さ（上面板４の上端縁および切欠部４ａの下端縁間の距離）は、被係止片１４の高さ（折り目ｍおよび被係止片１４の上端縁間の距離）に略一致している。また、上面板４の上端部には、係止板１０の高さ（折り目ｈと係止板１０の上端縁間の距離）に対応して上面板４の上端縁と平行に切り裂き目ｐが形成されている。すなわち、上面板４の上端縁と切り裂き目ｐとの間隔は、係止板１０の高さよりもわずかに小さく設定されている。また、左側面板３の上端部および右側面板５の上端部にも、上面板４に形成された切り裂き目ｐの各端縁に連続する傾斜切り裂き目ｑが形成されている。具体的には、左側面板３の上端部には、該左側面板３と糊代１２との折り目ｊおよび左側面板３と下面板２との折り目ａの交点である折り目ｊの外端と、切り裂き目ｐの右終端を結んで傾斜切り裂き目ｑが形成され、右側面板５の上端部には、該右側面板５と糊代１２との折り目ｊの外端と、切り裂き目ｐの左終端を結んで傾斜切り裂き目ｑが形成されている。
【００１８】
さらに、中仕切板７の上端部には、第１糊代６との折り目ｅおよび第２糊代との折り目ｆをそれぞれ始端とする略コ字状の切れ目ｒが左右対称に形成されている。具体的には、前述した切り裂き目ｐの延長線を上下から挟む一対の横切れ目ｒ１が各糊代との折り目ｅ，ｆをそれぞれ始端として形成されるとともに、後述する第１糊代６の幅（折り目ｄ，ｅ間の距離）と左右の側面板３，５の幅（折り目ａ，ｂ間の距離）の差に相当する幅を各糊代との折り目ｅ，ｆとの間に有するように、横切れ目ｒ１の終端を結んで縦切れ目ｒ２が形成されている。
【００１９】
なお、中仕切板７と第１糊代６との折り目ｅおよび第２糊代との折り目ｆは、コ字状の切れ目ｒの横切れ目ｒ１，ｒ１間を除いて形成されている。
【００２０】
ここで、第１糊代６の幅（折り目ｄ，ｅ間の距離）は、第２糊代８の幅（折り目ｆおよび第２糊代８の側端縁間の距離）よりも若干大きく、左右の側面板３，５の幅（折り目ａ，ｂ間の距離）よりも若干小さく設定されている。
【００２１】
次に、このように構成された包装容器１の組み立て手順について説明する。
【００２２】
まず、図４の展開図にしたがってコートボールを打ち抜くとともに、裏面が上面を向くように反転させた後、第２糊代８を中仕切板７に対して折り目ｆに沿って谷折りし、その表面に接着剤を塗布した後（図５参照）、第１糊代６を中仕切板７および第２糊代８とともに下面板２に対して折り目ｄに沿って谷折りし、第２糊代８を左側面板３の裏面に貼着する（図６参照）。次いで、第１糊代６の表面に接着剤を塗布した後、上面板４を右側面板５とともに左側面板３に対して折り目ｂに沿って谷折りすれば、右側面板５の裏面が第１糊代６の表面に貼着される（図７参照）。
【００２３】
この後、左側面板３を下面板２に対して折り目ａに沿って起立させることにより、長手方向の両端が開口された包装容器１が形成される。この際、左右の側面板３，５が起立することに伴って、左右の側面板３，５に貼着された第１糊代６および第２糊代８に連続して中仕切板７に形成された左右のコ字状の切れ目ｒによって区画された部分も起立し、支持片７１（図２参照）として上面板４における切り裂き目ｐの左右端縁部を支持する。
【００２４】
次いで、包み紙１００を上面板４に形成された切欠部４ａを通して上面板４と中仕切板７との間に形成された空間に差し込んで収容する。この場合、包み紙１００の長さは、上面板４の下端縁から切り裂き目ｐまでの長さよりも大きく、上面板４の上端縁と下端縁間の距離よりも小さく設定されている。つまり、上面板４に形成された切欠部４ａを通して上面板４と中仕切板７との間に形成された空間に収容された包み紙１００は、その上端部が切り裂き目ｐを越えて突出するようになっている。
【００２５】
包み紙１００が収容されたならば、被係止片１４を中仕切板７に対して折り目ｍに沿って谷折りし、その先端縁を上面板４に形成された切欠部４ａの下端縁に略当接させる。次いで、各糊代１２を折り目ｊに沿ってそれぞれ谷折りした後、糊代１２の表面に接着剤を塗布するとともに、正面板９を下面板２に対して折り目ｇに沿って谷折りし、その裏面を糊代１２に貼着する（図８参照）。次いで、上面板４の上端部（切り裂き目ｐよりも上方部分）に接着剤を塗布するとともに、係止板１０を正面板９に対して折り目ｈに沿って谷折りし、その裏面を上面板４の上端部に貼着する。
【００２６】
この場合、上面板４の上端部は、中仕切板７に載置された包み紙１００によって支持されるとともに、その左右各端縁部がコ字状の切れ目ｒ部分が起立して形成された支持片７１によって支持されていることから、上面板４が撓むことはなく、係止板１０を上面板４の上端部に確実に貼着することができる。
【００２７】
その後、正面板９が下方に位置するように倒立させ、背面板１５側開口部を通して設定個数のガムを供給した後、各フラップ１３を左右の側面板３，５に対して折り目ｋに沿って谷折りするとともに、糊代１１を下面板２に対して折り目ｉに沿って谷折りする。さらに、糊代１１の表面に接着剤を塗布して、背面板１５を上面板４に対して折り目ｎに沿って谷折りすれば、内部にガムが収容された包装容器１が形成される。この後、詳細には図示しないが、包装容器１はフィルムで包装されて、出荷される。
【００２８】
一方、店頭にてガムを購入した消費者はフィルムを剥離した後、係止板１０を引き下げることにより、係止板１０と一体の正面板９を回動させて、正面板９側開口部を開放させることができ、正面板９側開口部を通してガムを取り出すことができる。
【００２９】
すなわち、正面板９を係止板１０とともに引き下げる方向に回動操作すると、係止板１０に貼着された上面板４の上端部が切り裂き目ｐに沿って切り裂かれて上面板４から切り離されるとともに、該切り裂き目ｐに連続して、正面板９に貼着された糊代１２を連設する左右の側面板３，５の上端部がそれぞれ傾斜切り裂き目ｑに沿って切り裂かれて左右の側面板３，５から切り離される。合わせて、係止板１０の裏面に貼着された上面板４の上端部に形成された切欠部４ａの下端縁が被係止片１４の先端縁に係止して、該被係止片１４を立ち上げつつ弾性変形させて乗り越える。このように、係止板１０および該係止板１０に連設された正面板９を回動させることにより、正面板９側開口部を開放させることができる。
【００３０】
ガムを取り出して後、正面板９側開口部を閉鎖する場合は、正面板９を押し上げることにより、正面板９と一体の係止板１０が、該係止板１０の裏面に貼着された上面板４の上端部が被係止片１３を押し倒して、被係止片１３を乗り越える。このため、被係止片１３の先端縁に係止板１０の裏面に貼着された上面板４の上端部に形成された切欠部４ａの下端縁が係止し、係止板１０、すなわち、正面板９の開き出しを規制することができる。
【００３１】
ところで、前述したように、係止板１０を引き下げて正面板９側開口部を開放すれば、係止板１０に貼着された上面板４の上端部が切り裂き目ｐに沿って切り裂かれて上面板４から切り離されることにより、上面板４には、切り裂き目ｐに沿って切り離された上端部に取出切欠部４ｘ（図２参照）が形成される。このため、上面板４と中仕切板７との空間に収容された包み紙１００は、先端部が取出切欠部４ｘから露出することになる。これにより、包み紙１００の上端部に指先をあてがって外方に引き出せば、指先との接触摩擦によって包み紙１００を取出切欠部４ｘより外方に簡単に引き出すことができる。
【００３２】
この結果、ガムの噛みかすを廃棄する場合は、包装容器１に収容された包み紙１００を意識することができる、包み紙１００を取り出してガムの噛みかすを包み紙１００にて包み込むことができる。したがって、ガムの噛みかすを包み紙１００によって包み込んで廃棄することができ、これにより、ガムの噛みかすのポイ捨てによって周囲の景観を損ねることもない。
【図面の簡単な説明】
【００３３】
【図１】本発明の包装容器の一実施形態を示す斜視図である。
【図２】図１の包装容器の正面板側開口部を開放して示す斜視図である。
【図３】図１の包装容器の長手方向縦断面図である。
【図４】図１の包装容器の展開図である。
【図５】図１の包装容器の組立工程を示す説明図である。
【図６】図１の包装容器の組立工程を示す説明図である。
【図７】図１の包装容器の組立工程を示す説明図である。
【図８】図１の包装容器の組立工程を示す説明図である。
【符号の説明】
【００３４】
１  包装容器
２  下面板
３，５  側面板
４  上面板
４ａ  切欠部
４ｘ  取出切欠
６  第１糊代
７  中仕切板
８  第２糊代
９  正面板
１０  係止板
１４  被係止片
１５  背面板
ａ，ｂ，ｃ，ｄ，ｅ，ｆ，ｇ，ｈ，ｉ，ｊ，ｋ，ｍ，ｎ  折り目
ｐ，ｑ  切り裂き目
ｒ  切れ目
１００  包み紙
【図１】
2008254795.tif 000003
【図２】
2008254795.tif 000004
【図３】
2008254795.tif 000005
【図４】
2008254795.tif 000006
【図５】
2008254795.tif 000007
【図６】
2008254795.tif 000008
【図７】
2008254795.tif 000009
【図８】
2008254795.tif 000010